(57)【要約】【課題】所定の空間を平面視曲線状に仕切ることができる間仕切装置を提供する。【解決手段】間仕切装置１は、平面視曲線状の軌道を描くように設置されたハンガーレール１０と、ハンガーレール１０の走行輪収納部１２に収納されて走行する複数の走行輪２０と、走行輪２０に接続部材３０を介して接続されることによりハンガーレール１０に吊り下げられた状態で軌道に沿って移動する仕切体４０と、を備える。仕切体４０は、鉛直方向に延在するように配置されるとともに軌道に沿って間隔をおいて複数並べられた柱状部材４１と、柱状部材４１同士を連結する連結部材４２と、を有することにより軌道に追従して湾曲するように構成されている。【選択図】図５
2020183636.tif 000002
【特許請求の範囲】
【請求項１】
平面視曲線状の軌道を描くように設置されたハンガーレールと、
前記ハンガーレールの走行輪収納部に収納されて走行する複数の走行輪と、
前記走行輪に接続部材を介して接続されることにより前記ハンガーレールに吊り下げられた状態で前記軌道に沿って移動する仕切体と、を備え、
前記仕切体は、鉛直方向に延在するように配置されるとともに前記軌道に沿って間隔をおいて複数並べられた柱状部材と、前記柱状部材同士を連結する連結部材と、を有することにより前記軌道に追従して湾曲するように構成されている、
間仕切装置。
【請求項２】
前記連結部材は、前記仕切体が移動する際に前記柱状部材同士が所定の間隔を維持することを可能とするように構成されている、請求項１に記載の間仕切装置。
【請求項３】
前記連結部材は、前記軌道に追従して変形可能な可撓性を有する材料で構成されている、請求項２に記載の間仕切装置。
【請求項４】
少なくとも二つの前記柱状部材の上部が、対応する前記走行輪の下部に前記接続部材を介して各々接続されることにより、前記仕切体が前記ハンガーレールに吊り下げられている、請求項１から３の何れか一項に記載の間仕切装置。
【発明の詳細な説明】
【技術分野】
【０００１】
本発明は、間仕切装置に関する。
【背景技術】
【０００２】
従来より、コンベンションホール、宴会場、美術館等の広い空間を、移動壁によって所望のサイズに仕切ることが行われている。移動壁は、建築物の室内の天井に敷設されたレールに案内されて走行する吊車装置によって吊り下げられた状態で支持されており、レールに沿って移動することができるようになっている。現在においては、平面視直線状のレールだけではなく、種々の平面形状（平面視曲線状、十字状、Ｔ字状、Ｌ字状等）のレールに沿って移動壁を移動させて移動壁を方向転換させたりカーブ走行させたりする技術が提案されている（例えば、特許文献１〜３参照）。
【先行技術文献】
【特許文献】
【０００３】
【特許文献１】実開昭６３−８３６５号公報
【特許文献２】実公平７−２７３３３号公報
【特許文献３】特許第５７８４１６９号公報
【発明の概要】
【発明が解決しようとする課題】
【０００４】
ところで、近年においては、ワークスタイルの多様化等により、所定の空間を平面視直線状に仕切るだけではなく、平面視曲線状に仕切ることが求められる場合がある。特許文献１〜３に記載された従来の技術は、平面視直線状の平坦なパネル状の移動壁を所定のレールに沿って移動させることにより所定の空間を平面視直線状に仕切るものであるが、平面視曲線状を呈するような湾曲した移動壁を所定のレールに沿って移動させて所定の空間を平面視曲線状に仕切る技術は、現時点では提案されていない。
【０００５】
本発明は、かかる事情に鑑みてなされたものであり、所定の空間を平面視曲線状に仕切ることができる間仕切装置を提供することを目的とする。
【課題を解決するための手段】
【０００６】
前記目的を達成するため、本発明に係る間仕切装置は、平面視曲線状の軌道を描くように設置されたハンガーレールと、ハンガーレールの走行輪収納部に収納されて走行する複数の走行輪と、走行輪に接続部材を介して接続されることによりハンガーレールに吊り下げられた状態で軌道に沿って移動する仕切体と、を備え、仕切体は、鉛直方向に延在するように配置されるとともに軌道に沿って間隔をおいて複数並べられた柱状部材と、柱状部材同士を連結する連結部材と、を有することにより軌道に追従して湾曲するように構成されているものである。
【０００７】
かかる構成を採用すると、仕切体は、鉛直方向に延在するように配置されるとともに平面視曲線状の軌道に沿って間隔をおいて複数並べられた柱状部材と、柱状部材同士を連結する連結部材と、を有することにより、平面視曲線状の軌道に追従して湾曲することができる。また、仕切体は、ハンガーレールの走行輪収納部に収納されて走行する走行輪に接続部材を介して接続されることにより、ハンガーレールに吊り下げられた状態で平面視曲線状の軌道に沿って移動することができる。すなわち、仕切体は、平面視曲線状の軌道に追従して湾曲しつつ、当該軌道に沿って移動することができる。従って、本間仕切装置を用いて所定の空間を平面視曲線状に仕切ることができる。
【０００８】
本発明に係る間仕切装置において、仕切体が移動する際に柱状部材同士が所定の間隔を維持することを可能とするように連結部材を構成することができる。
【０００９】
かかる構成を採用すると、仕切体が移動する際に柱状部材同士が所定の間隔を維持することを可能とするように連結部材を構成しているため、仕切体が移動する際に柱状部材同士の間隔が狭まって両者が接触するような事態を回避することができる。
【００１０】
本発明に係る間仕切装置において、軌道に追従して変形可能な可撓性を有する材料で連結部材を構成することができる。
【００１１】
かかる構成を採用すると、可撓性を有する連結部材によって柱状部材同士が連結されているため、ハンガーレールの軌道の曲率が変化するような場合においても、仕切体を軌道に追従させて変形させることができる。
【００１２】
本発明に係る間仕切装置において、少なくとも二つの柱状部材の上部を、対応する走行輪の下部に接続部材を介して各々接続することにより、仕切体をハンガーレールに吊り下げることができる。
【００１３】
かかる構成を採用すると、接続部材を介して（少なくとも二つの）柱状部材の上部と（対応する）走行輪の下部とを各々接続することにより、比較的簡素な構成で仕切体をハンガーレールに吊り下げることができる。
【発明の効果】
【００１４】
本発明によれば、所定の空間を平面視曲線状に仕切ることができる間仕切装置を提供することが可能となる。
【図面の簡単な説明】
【００１５】
【図１】本発明の第一実施形態に係る間仕切装置のハンガーレールの部分平面図である。
【図２】本発明の第一実施形態に係る間仕切装置のハンガーレールの取付構造を説明するための説明図である。
【図３】本発明の第一実施形態に係る間仕切装置のハンガーレールの拡大断面図である。
【図４】本発明の第一実施形態に係る間仕切装置の仕切体を示すものであり、（Ａ）は平面図、（Ｂ）は正面図、（Ｃ）は側面図である。
【図５】図４に示す仕切体の拡大図であり、（Ａ）は平面図、（Ｂ）は正面図、（Ｃ）は側面図である。
【図６】図５（Ｂ）のVI部分の拡大図である。
【図７】図５（Ｃ）のVII部分の拡大図である。
【図８】本発明の第二実施形態に係る間仕切装置のハンガーレールの部分平面図である。
【図９】本発明の第二実施形態に係る間仕切装置のハンガーレールの部分平面図である。
【図１０】本発明の第二実施形態に係る間仕切装置のハンガーレールの取付構造を説明するための説明図である。
【図１１】本発明の第二実施形態に係る間仕切装置のハンガーレールの拡大断面図である。
【図１２】本発明の第二実施形態に係る間仕切装置の仕切体を示すものであり、（Ａ）は平面図、（Ｂ）は正面図、（Ｃ）は側面図である。
【図１３】図１２に示す仕切体の拡大図であり、（Ａ）は平面図、（Ｂ）は正面図、（Ｃ）は側面図である。
【発明を実施するための形態】
【００１６】
以下、図面を参照して、本発明の各実施形態について説明する。なお、以下の各実施形態はあくまでも好適な適用例であって、本発明の適用範囲がこれに限定されるものではない。
【００１７】
＜第一実施形態＞
【００１８】
まず、図１〜図７を用いて、本発明の第一実施形態に係る間仕切装置１の構成について説明する。本実施形態に係る間仕切装置１は、建物内の所定の空間を平面視円形状に仕切るためのものであり、ハンガーレール１０と、複数の走行輪２０と、走行輪２０に接続部材３０を介して接続される仕切体４０と、を備えている。
【００１９】
ハンガーレール１０は、図２に示すように、建物内の所定の空間の天井Ｃに固定部材１１を介して固定された金属製（例えばアルミニウム製）のレールである。本実施形態におけるハンガーレール１０は、図１に部分的に示すように、平面視円形状の軌道を描くように設置されている。ハンガーレール１０は、図３に示すように、走行輪２０を収納して走行させる走行輪収納部１２を有している。走行輪収納部１２は、上方走行輪２１（図５参照）を収納する上方収納部１２ａと、下方走行輪２２（図５参照）を収納する下方収納部１２ｂと、を有している。
【００２０】
また、ハンガーレール１０は、走行輪２０と仕切体４０とを接続する接続部材３０を挿通させる開口部１３を有している。本実施形態においては、ハンガーレール１０の開口部１３付近に、一対の断面Ｌ字状部材１４を取り付け、これら一対の断面Ｌ字状部材１４の側方に化粧板１５を配置して固定している。このため、ハンガーレール１０の大部分は化粧板１５によって隠されることとなる。また、本実施形態においては、ハンガーレール１０及び断面Ｌ字状部材１４をツヤ消しの黒色で塗装している。これにより、下方から見上げるとあたかも化粧板１５の間に一筋の黒色の線（溝）のみが存在するように見える、という視覚的効果を得ることができる。
【００２１】
走行輪２０は、図５に示すように、ハンガーレール１０の走行輪収納部１２に収納され、所定の回転軸２０ａを中心に回転しつつ走行輪収納部１２内を走行するように構成されたものである。本実施形態においては、上下一対の走行輪（上方走行輪２１及び下方走行輪２２）を採用している。上方走行輪２１は、上方収納部１２ａの左右の内壁のうち一方（例えば右側の内壁）にのみ接触して回転するように配置され、下方走行輪２２は、下方収納部１２ｂの左右の内壁のうち他方（例えば左側の内壁）にのみ接触して回転するように配置される。この結果、上方走行輪２１と下方走行輪２２は相互に逆方向に回転しつつハンガーレール１０の走行輪収納部１２内を走行するようになっている。
【００２２】
仕切体４０は、図４〜図７に示すように、走行輪２０に接続部材３０を介して接続されることにより、ハンガーレール１０に吊り下げられた状態で平面視円形状の軌道（図１参照）に沿って移動するように構成されている。仕切体４０は、図４及び図５に示すように、鉛直方向に延在するように配置されるとともに軌道に沿って間隔をおいて複数並べられた柱状部材４１と、柱状部材４１同士を連結する連結部材４２と、を有することにより、平面視円形状の軌道に追従して湾曲するように構成されている。
【００２３】
柱状部材４１は、剛性を有する材料（例えば金属等）で構成された円柱状の部材であり、仕切体４０の鉛直方向における剛性を確保するように機能する。柱状部材４１の径や本数は、仕切るべき領域の大きさ等に応じて適宜設定することができる。本実施形態においては、図４に示すように、３６本の柱状部材４１を採用して、平面視円弧状の仕切体４０を構成するようにしている。柱状部材４１の長さは、天井Ｃの高さ等に応じて適宜設定することができる。なお、本実施形態においては円柱状（断面円形状）の部材を柱状部材４１として採用したが、断面多角形状の部材や、断面楕円形状の部材を柱状部材として採用することができる。
【００２４】
本実施形態においては、図４に示すように、３６本のうち１１本（約１／３）の柱状部材４１の上部が、対応する走行輪２０の下部に、接続部材３０を介して各々接続されてり、これにより、仕切体４０がハンガーレール１０に吊り下げられている。なお、走行輪２０と接続される柱状部材４１の本数はこれに限られるものではなく、少なくとも２本の柱状部材４１が接続部材３０を介して対応する走行輪２０に接続されていればよい。本実施形態においては、接続部材３０として、剛性を有する材料（例えば金属等）で構成された円筒状の部材を採用している。図７に示すように、接続部材３０の下部は取付部材３１を介して柱状部材４１の上部に取り付けられている。また、走行輪２０は、接続部材３０の上部に回転自在に取り付けられている。接続部材３０の中心軸は、走行輪２０の回転軸２０ａに一致している。
【００２５】
連結部材４２は、柱状部材４１同士を連結するように機能するものである。本実施形態における連結部材４２は、図５（Ａ）に示すように柱状部材４１の上端部同士及び下端部同士を連結する水平な板状部材４２ａと、図５（Ｂ）に示すように鉛直方向に延在するとともに平面視円弧状に湾曲して柱状部材４１の中央部分を連結する湾曲部材４２ｂと、を有している。
【００２６】
板状部材４２ａは、剛性を有する材料（例えば金属等）で構成され、少なくとも２つの柱状部材４１の上端部同士（又は下端部同士）を連結することができるような大きさ（長さ及び幅）を有しており、図６に示すように各柱状部材４１の上端部にネジ４３等の固定手段によって固定されている。板状部材４２ａの幅の寸法（軌道に対して直交する方向の寸法）は、図５（Ａ）に示すように、柱状部材４１の外径の寸法よりも僅かに大きくなるように設定する。
【００２７】
湾曲部材４２ｂは、剛性を有する材料（例えば金属等）で構成した所定の厚さを有する板状の部材を平面視円弧状に湾曲させて形成したものである。本実施形態においては、一枚の湾曲部材４２ｂの両面に、柱状部材４１を二つに割ったものを貼り付けて一本の柱状部材４１を形成するようにしているが、湾曲部材４２ｂの形態や、湾曲部材４２ｂと柱状部材４１との接合方法は、これに限定されるものではない。例えば、細長い湾曲部材を複数枚用意し、隣接する柱状部材４１の間にこの細長い湾曲部材を配置して柱状部材４１と湾曲部材とを接合してもよい。
【００２８】
このように本実施形態においては、板状部材４２ａ及び湾曲部材４２ｂの双方が、剛性を有する材料で構成されているため、仕切体４０が移動する際に柱状部材４１同士が所定の間隔を維持することが可能となる。このため、仕切体４０が移動する際に柱状部材４１同士の間隔が狭まって両者が接触するような事態を回避することができる。
【００２９】
次に、本実施形態に係る間仕切装置１の使用方法について説明する。
【００３０】
所定の空間に入室したユーザが、間仕切装置１の仕切体４０の一部（例えば右端にある柱状部材４１の中央部分）を把持し、ハンガーレール１０の平面視円形状の軌道に沿って仕切体４０を押す（又は引く）ように力を加えることにより、仕切体４０を、ハンガーレール１０の軌道に沿って所望の位置まで移動させることができる。これにより、所定の空間を所望の態様で平面視円弧状に仕切ることができ、ユーザは所定の作業に没頭することができる。作業を終了したユーザは、同様の操作を行って間仕切装置１の仕切体４０を当初の位置まで移動させることができる。
【００３１】
以上説明した実施形態に係る間仕切装置１においては、仕切体４０が、鉛直方向に延在するように配置されるとともに平面視円形状の軌道に沿って間隔をおいて複数並べられた柱状部材４１と、柱状部材４１同士を連結する連結部材４２と、を有することにより、平面視円形状の軌道に追従して湾曲することができる。また、仕切体４０は、ハンガーレール１０の走行輪収納部１２に収納されて走行する走行輪２０に接続部材３０を介して接続されることにより、ハンガーレール１０に吊り下げられた状態で平面視円形状の軌道に沿って移動することができる。すなわち、仕切体４０は、平面視円形状の軌道に追従して湾曲しつつ、当該軌道に沿って移動することができる。従って、本間仕切装置１を用いて所定の空間を平面視円形状に仕切ることができる。
【００３２】
また、以上説明した実施形態に係る間仕切装置１においては、仕切体４０が移動する際に柱状部材４１同士が所定の間隔を維持することを可能とするように連結部材４２を構成しているため、仕切体４０が移動する際に柱状部材４１同士の間隔が狭まって両者が接触するような事態を回避することができる。
【００３３】
また、以上説明した実施形態に係る間仕切装置１においては、接続部材３０を介して（少なくとも二つの）柱状部材４１の上部と（対応する）走行輪２０の下部とを各々接続することにより、比較的簡素な構成で仕切体４０をハンガーレール１０に吊り下げることができる。
【００３４】
＜第二実施形態＞
続いて、図８〜図１３を用いて、本発明の第二実施形態に係る間仕切装置２の構成について説明する。本実施形態に係る間仕切装置２は、建物内の所定の空間を平面視曲線状（非円形状）に仕切るものであり、ハンガーレール１０Ａと、複数の走行輪２０Ａと、走行輪２０Ａに接続部材３０Ａを介して接続される仕切体４０Ａと、を備えている。
【００３５】
ハンガーレール１０Ａは、図１０に示すように、建物内の所定の空間の天井Ｃに固定部材１１Ａを介して固定された金属製（例えばアルミニウム製）のレールである。本実施形態におけるハンガーレール１０Ａは、図８及び図９に部分的に示すように、平面視で曲線状（曲率の異なる円弧を複数結合させたような形状）の軌道を描くように設置されている。ハンガーレール１０Ａは、図１１に示すように、走行輪２０Ａを収納して走行させる走行輪収納部１２（上方収納部１２ａ及び下方収納部１２ｂ）と、走行輪２０Ａと仕切体４０Ａとを接続する接続部材３０Ａを挿通させる開口部１３と、を有している。走行輪収納部１２及び開口部１３は、第一実施形態におけるものと実質的に同一である。また、本実施形態においても、図１１に示すようにハンガーレール１０Ａの開口部１３付近に一対の断面Ｌ字状部材１４を取り付け、これら断面Ｌ字状部材１４の側方に化粧板１５を配置し、ハンガーレール１０Ａ及び断面Ｌ字状部材１４をツヤ消しの黒色で塗装している。
【００３６】
走行輪２０Ａは、図１３に示すように、ハンガーレール１０Ａの走行輪収納部１２に収納され、所定の回転軸２０ａを中心に回転しつつ走行輪収納部１２内を走行するように構成されたものである。本実施形態においても、第一実施形態と同様に上下一対の走行輪（上方走行輪２１及び下方走行輪２２）を採用している。すなわち、上方走行輪２１は、上方収納部１２ａの左右の内壁のうち一方（例えば右側の内壁）にのみ接触して回転するように配置され、下方走行輪２２は、下方収納部１２ｂの左右の内壁のうち他方（例えば左側の内壁）にのみ接触して回転するように配置される。この結果、上方走行輪２１と下方走行輪２２は相互に逆方向に回転しつつハンガーレール１０Ａの走行輪収納部１２内を走行するようになっている。
【００３７】
仕切体４０Ａは、図１２及び図１３に示すように、走行輪２０Ａに接続部材３０Ａを介して接続されることにより、ハンガーレール１０Ａに吊り下げられた状態で平面視曲線状（曲率の異なる円弧を複数結合させたような形状）の軌道（図８及び図９参照）に沿って移動するように構成されている。仕切体４０Ａは、鉛直方向に延在するように配置されるとともに軌道に沿って間隔をおいて複数並べられた柱状部材４１Ａと、柱状部材４１Ａ同士を連結する連結部材４２Ａと、を有することにより、平面視曲線状の軌道に追従して湾曲するように構成されている。
【００３８】
柱状部材４１Ａは、第一実施形態におけるものと同様に剛性を有する材料（例えば金属等）で構成された円柱状の部材であり、仕切体４０Ａの鉛直方向における剛性を確保するように機能する。柱状部材４１Ａの径や本数は、仕切るべき領域の大きさ等に応じて適宜設定することができる。本実施形態においては、図１２に示すように、４１本の柱状部材４１Ａを採用している。柱状部材４１Ａの長さは、天井Ｃの高さ等に応じて適宜設定することができる。なお、本実施形態においては円柱状（断面円形状）の部材を柱状部材４１Ａとして採用したが、断面多角形状の部材や、断面楕円形状の部材を柱状部材として採用することができる。
【００３９】
本実施形態においては、図１２に示すように、４１本のうち２１本（約１／２）の柱状部材４１Ａの上部が、対応する走行輪２０Ａの下部に、接続部材３０Ａを介して各々接続されてり、これにより、仕切体４０Ａがハンガーレール１０Ａに吊り下げられている。なお、走行輪２０Ａと接続される柱状部材４１Ａの本数はこれに限られるものではなく、少なくとも２本の柱状部材４１Ａが接続部材３０Ａを介して対応する走行輪２０に接続されていればよい。本実施形態においても、接続部材３０Ａとして、剛性を有する材料（例えば金属等）で構成された円筒状の部材を採用している。図１３（Ｃ）に示すように、接続部材３０Ａの下部は取付部材３１Ａを介して柱状部材４１Ａの上部に取り付けられている。また、走行輪２０Ａは、接続部材３０Ａの上部に回転自在に取り付けられている。接続部材３０Ａの中心軸は、走行輪２０Ａの回転軸２０ａに一致している。
【００４０】
連結部材４２Ａは、柱状部材４１Ａ同士を連結するように機能するものである。本実施形態における連結部材４２Ａは、平面視曲線状（曲率の異なる円弧を複数結合させたような形状）の軌道に追従して変形可能な可撓性を有し、かつ、仕切体４０Ａが移動する際に柱状部材４１Ａ同士が所定の間隔を維持することを可能とするような適度な硬さを有する材料（例えばフェルト等）で構成されている。このように本実施形態においても、連結部材４２Ａが適度な硬さを有する材料で構成されているため、仕切体４０Ａが移動する際に柱状部材４１Ａ同士が所定の間隔を維持することが可能となる。このため、仕切体４０Ａが移動する際に柱状部材４１Ａ同士の間隔が狭まって両者が接触するような事態を回避することができる。また、本実施形態においては、可撓性を有する連結部材４２Ａによって柱状部材４１Ａ同士が連結されているため、仕切体４０を、曲率が変化する平面視ハート形状の軌道に対して追従させて変形させることができる。
【００４１】
次に、本実施形態に係る間仕切装置２の使用方法について説明する。
【００４２】
所定の空間に入室したユーザが、間仕切装置２の仕切体４０Ａの一部（例えば右端にある柱状部材４１Ａの中央部分）を把持し、ハンガーレール１０Ａの平面視曲線状（曲率の異なる円弧を複数結合させたような形状）の軌道に沿って仕切体４０Ａを押す（又は引く）ように力を加えることにより、仕切体４０Ａを、ハンガーレール１０Ａの軌道に沿って所望の位置まで移動させることができる。これにより、ワークエリアＷ内の空間を所望の態様で平面視曲線状に仕切ることができ、ユーザは作業に没頭することができる。作業を終了したユーザは、同様の操作を行って間仕切装置２の仕切体４０Ａを当初の位置まで移動させることができる。
【００４３】
以上説明した実施形態に係る間仕切装置２においては、仕切体４０Ａが、鉛直方向に延在するように配置されるとともに平面視曲線状（曲率の異なる円弧を複数結合させたような形状）の軌道に沿って間隔をおいて複数並べられた柱状部材４１Ａと、柱状部材４１Ａ同士を連結する連結部材４２Ａと、を有することにより、平面視曲線状の軌道に追従して湾曲することができる。また、仕切体４０Ａは、ハンガーレール１０Ａの走行輪収納部１２に収納されて走行する走行輪２０Ａに接続部材３０Ａを介して接続されることにより、ハンガーレール１０Ａに吊り下げられた状態で平面視曲線状の軌道に沿って移動することができる。すなわち、仕切体４０Ａは、平面視曲線状の軌道に追従して湾曲しつつ、当該軌道に沿って移動することができる。従って、本間仕切装置２を用いて所定の空間を平面視曲線状に仕切ることができる。
【００４４】
また、以上説明した実施形態に係る間仕切装置２においては、仕切体４０Ａが移動する際に柱状部材４１Ａ同士が所定の間隔を維持することを可能とするように連結部材４２Ａを構成しているため、仕切体４０Ａが移動する際に柱状部材４１Ａ同士の間隔が狭まって両者が接触するような事態を回避することができる。
【００４５】
また、以上説明した実施形態に係る間仕切装置１においては、接続部材３０Ａを介して（少なくとも二つの）柱状部材４１Ａの上部と（対応する）走行輪２０Ａの下部とを各々接続することにより、比較的簡素な構成で仕切体４０Ａをハンガーレール１０Ａに吊り下げることができる。
【００４６】
また、以上説明した実施形態に係る間仕切装置１においては、可撓性を有する連結部材４２Ａによって柱状部材４１Ａ同士が連結されているため、仕切体４０を、曲率が変化する平面視曲線状の軌道に対して追従させて変形させることができる。
【００４７】
なお、第一実施形態においては平面視円形状の軌道を描くように設定したハンガーレール１０を採用し、第二実施形態においては平面視曲線状（非円形状）の軌道を描くように設置したハンガーレール１０Ａを採用した例を示したが、ハンガーレールの軌道の平面形状はこれらの平面形状に限られるものではない。第二実施形態のように可撓性を有する連結部材４２Ａによって柱状部材４１Ａ同士を連結した仕切体４０Ａを採用することにより、多様な平面形状の軌道に対して仕切体４０Ａを追従させて変形させることができる。
【００４８】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００４９】
１・２…間仕切装置
１０・１０Ａ…ハンガーレール
１２…走行輪収納部
２０・２０Ａ…走行輪
３０・３０Ａ…接続部材
４０・４０Ａ…仕切体
４１・４１Ａ…柱状部材
４２・４２Ａ…連結部材
４２ａ…板状部材（連結部材）
４２ｂ…湾曲部材（連結部材）
【図１】
2020183636.tif 000003
【図２】
2020183636.tif 000004
【図３】
2020183636.tif 000005
【図４】
2020183636.tif 000006
【図５】
2020183636.tif 000007
【図６】
2020183636.tif 000008
【図７】
2020183636.tif 000009
【図８】
2020183636.tif 000010
【図９】
2020183636.tif 000011
【図１０】
2020183636.tif 000012
【図１１】
2020183636.tif 000013
【図１２】
2020183636.tif 000014
【図１３】
2020183636.tif 000015